(57)【要約】【課題】狭空間清掃性に優れる清掃具用柄を提供すること。【解決手段】第１柄部分３０７と、第２柄部分３０９と、係合部材５０１とを備える清掃具用柄７であって、係合部材５０１が、固定部５０３と、可動部５０５と、連結部５０７とを備えており、固定部５０３が、固定用突出部５１１を備えており、可動部５０５が、押込用突出部５１３と、連結用突出部５１５とを備えており、押込用突出部５１３と、連結用突出部５１５とは、柄軸方向ＤHAに離間しているとともに、押戻方向Ｄ1Tに突出しており、第１柄部分３０７と、第２柄部分３０９とが、押込用突出部５１３を押込方向Ｄ1Pに押込むことにより、連結形態と、分離形態とを切替可能であるように構成されていることを特徴とする清掃具用柄７。【選択図】図１５
2020075058.tif 000002
【特許請求の範囲】
【請求項１】
第１基端部及び第１先端部を有する第１柄部分と、第２基端部及び第２先端部を有する第２柄部分と、第１柄部分及び第２柄部分を連結可能な係合部材とを備え、柄軸を有するとともに、お互いに直交する、前記柄軸と平行な柄軸方向と、押込方向及び押戻方向を含む第１方向と、第２方向とを有する清掃具用柄であって、
前記係合部材が、固定部と、可動部と、固定部及び可動部を連結する連結部とを備えており、前記固定部が、前記係合部材を第１柄部分に固定するための固定用突出部を備えており、前記可動部が、押込用突出部と、第２柄部分を第１柄部分に連結するための連結用突出部とを備えており、前記押込用突出部と、前記連結用突出部とは、前記柄軸方向に離間しているとともに、前記押戻方向に突出しており、
第１先端部が、第１中空部を有するとともに、前記押込用突出部と、前記連結用突出部と、前記固定用突出部とに対応する、それぞれ、第１開口部と、第２開口部と、第３開口部とを備えており、
第２基端部が、第１先端部と連結する範囲において第１先端部の外径と同一又はそれよりも大きな内径を有するとともに、前記連結用突出部に対応する連結用開口部を備えており、
前記係合部材が、第１中空部に配置されており、前記押込用突出部、前記連結用突出部及び前記固定用突出部が、それぞれ、第１開口部、第２開口部及び第３開口部に挿入されてているとともに、前記押込用突出部及び前記連結用突出部が、それぞれ、第１開口部及び第２開口部から外方に突出しており、
第１柄部分と、第２柄部分とが、前記押込用突出部を前記押込方向に押込むことにより、連結形態と、分離形態とを切替可能であるように構成されている、
ことを特徴とする、前記清掃具用柄。
【請求項２】
第１柄部分が、第１先端部の外面に、前記押込用突出部を囲んで前記柄軸の周方向に延びているスリーブをさらに備えている、請求項１に記載の清掃具用柄。
【請求項３】
前記スリーブが、前記柄軸の周方向に一周しており、前記スリーブの、第２方向の径が、第１方向の径よりも小さい、請求項２に記載の清掃具用柄。
【請求項４】
前記スリーブが、前記柄軸の周方向に一周しており、前記スリーブの、前記押戻方向側の端部の厚さが、前記スリーブの、前記押込方向側の端部の厚さよりも厚い、請求項２又は３に記載の清掃具用柄。
【請求項５】
前記スリーブが、前記連結形態において、第２基端部の端縁を収納する収納部を備えている、請求項２〜４のいずれか一項に記載の清掃具用柄。
【請求項６】
前記収納部及び前記端縁が、第１柄部分の、前記柄軸の周方向の位置と、第２柄部分の、前記柄軸の周方向の位置とをガイドするための、一対のガイド部を備えている、請求項５に記載の清掃具用柄。
【請求項７】
前記収納部が、第２基端部の外面と接触するように構成された複数の突起部であって、そのそれぞれが、前記柄軸方向に延びているものを備えている、請求項５又は６に記載の清掃具用柄。
【請求項８】
前記係合部材の前記固定部及び可動部が、前記連結部から前記柄軸方向内の同一方向に向かって延びている、請求項１〜７のいずれか一項に記載の清掃具用柄。
【請求項９】
前記係合部材の前記連結部が、第１方向に延びており、前記固定部及び可動部が、前記連結部に離間して連結している、請求項１〜８のいずれか一項に記載の清掃具用柄。
【請求項１０】
前記連結用突出部が、前記押込用突出部よりも、前記連結部から遠い位置に配置されている、請求項１〜９のいずれか一項に記載の清掃具用柄。
【請求項１１】
前記係合部材が、前記連結部から前記可動部と反対方向に延びており且つ第１中空部の、前記押戻方向側の端部の内面に接するように構成されたクリップ部をさらに備えている、請求項１〜１０のいずれか一項に記載の清掃具用柄。
【請求項１２】
清掃ヘッドと、前記清掃ヘッドに回転可能に取り付けられたブラケットと、前記ブラケットに連結された清掃具用柄とを備える清掃具であって、
前記清掃具用柄が、請求項１〜１１のいずれか一項に記載の清掃具用柄である、
前記清掃具。
【請求項１３】
前記清掃ヘッドが、平面方向及び厚さ方向を備えている板状の形状を有するとともに、前記平面方向に沿う方向に延びている２つの清掃面と、前記厚さ方向に沿う方向に延びている側面と、前記側面に配置された、回転軸を備えているブラケット用孔とを備えており、
前記ブラケットが、前記ブラケット用孔を介して前記清掃ヘッドに回転可能に連結されており、
前記清掃具を、前記平面方向及び前記柄軸が平行になるように配置した状態において、第１方向が、前記平面方向に沿う方向に延びるように、前記清掃具用柄が配置されている、請求項１２に記載の清掃具。
【請求項１４】
前記ブラケットが、単一の平面であるブラケット仮想面上に配置されており、前記清掃ヘッドが、前記清掃ヘッド及び前記ブラケットを、前記平面方向と、前記ブラケット仮想面とが一致するように保持することができるように構成されている、請求項１３に記載の清掃具。
【請求項１５】
前記ブラケットが、棒状の部材から構成されているとともに、前記ブラケット用孔に回転可能に連結されている、第１端部を有するヘッド連結部と、前記清掃具用柄に連結されている、第２端部を有する柄連結部と、前記ヘッド連結部及び柄連結部を離間させている離間部とを備えており、
前記清掃具用柄が、前記柄連結部の第２端部に回転可能に連結されている回転部を備えており、
前記回転部が、前記ブラケット仮想面と直交する方向に回転軸を有するとともに、前記柄連結部に近づく近位方向と、前記柄連結部から遠ざかる遠位方向とに回転可能で有り、
前記清掃具用柄が、前記押込用突出部を前記近位方向側に有する、
請求項１４に記載の清掃具。
【請求項１６】
清掃シートの、前記清掃シートを保持可能な清掃ヘッドを備える清掃具への使用であって、
前記清掃具が、請求項１１〜１５のいずれか一項に記載の清掃具である、
ことを特徴とする、前記使用。
【請求項１７】
請求項１２〜１５のいずれか一項の清掃具用の清掃シートであって、
前記清掃ヘッドが、前記清掃シートを保持可能なように構成されており、
前記清掃シートが、前記清掃ヘッドに保持されるように構成されている、
前記清掃シート。
【発明の詳細な説明】
【技術分野】
【０００１】
本開示は、清掃具用柄、上記清掃具用柄を備える清掃具、及び清掃シートの、上記清掃具への使用に関する。
【背景技術】
【０００２】
清掃シートを清掃ヘッドに取り付けるタイプの清掃具、並びにそれらの清掃具用の柄が知られている。
例えば、特許文献１には、清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具が開示されている。
【０００３】
特許文献１の図１に記載される清掃用具Ａは、特許文献１の段落［００１４］に記載されるように、清掃シートＳを挟み込むスリットが形成された本体１と、前記本体が回動自在に支承された略コ字状に形成された支持アーム２と、前記支持アーム２の端部が自在継手３を介して連結されたハンドル４と、から構成されている。また、ハンドル４の上端部には、持ち易いように、取っ手５が装着されている。
【０００４】
特許文献１に記載の清掃用具Ａは、特許文献１の段落［００２２］及び図８に示されるように、床などの広い面を拭く場合には、広い払拭面を持つ下カバー体２２を下側にして掃除を行うものである。
また、特許文献１に記載の清掃用具Ａは、特許文献１の段落［００２４］及び図９に示されるように、本体１を９０度回転させて横面を使用して掃除ができる。
【０００５】
特許文献２には、柄を構成する各一対の円筒状パイプをさらにスムーズに連結することのできるパイプの連結構造が記載されている。特許文献２に記載のパイプの連結構造は、一方の円筒状パイプのオス側端部を他方の円筒状パイプのメス側端部に挿入し、オス側突起挿入穴とメス側突起挿入穴とを合致させて外側から係合突起が係止されると共に、前記オス側端部と前記メス側端部との継ぎ目部を外側から覆ってスリーブ状部材が取り付けられるパイプの連結構造であって、前記スリーブ状部材には、前記継ぎ目部を覆う部分の内周面から内側に突出して、前記メス側端部の端面が後方から当接する当接リブが、周方向に連続又は断続して設けられており、該当接リブには、前記スリーブ状部材の先端側に向けて径方向外方に傾斜して延設する挿入ガイド傾斜部が、周方向に連続又は断続して設けられており、前記端面を前記当接リブの当接面に当接させて前記他方の円筒状パイプの前記メス側端部にスリーブ状部材を装着した状態で、前記一方の円筒状パイプの前記オス側端部が、前記挿入ガイド傾斜部に案内されてメス側端部に挿入される。
【先行技術文献】
【特許文献】
【０００６】
【特許文献１】実用新案登録第３１５２６３２号公報
【特許文献２】特開２０１２−１６３１３６号公報
【発明の概要】
【発明が解決しようとする課題】
【０００７】
特許文献１に記載の清掃用具Ａにおいて、ハンドル４は、連結可能な、複数のハンドル部分から構成されるものではないため、清掃用具Ａを使用しない際に、清掃用具Ａをコンパクトに保管することができるものではない。
特許文献２に記載のパイプの連結構造は、その構造上、スリーブ状部材が太くなるため、当該パイプの連結構造を含む清掃具を用いて、所定の幅を有する狭い空間を清掃しようとする場合には、スリーブ状部材が、上記狭い空間に入らない、上記狭い空間にぶつかり、傷つける等の可能性があった。
従って、本開示は、狭空間清掃性に優れる清掃具用柄を提供することを目的とする。
【課題を解決するための手段】
【０００８】
本開示者らは、第１基端部及び第１先端部を有する第１柄部分と、第２基端部及び第２先端部を有する第２柄部分と、第１柄部分及び第２柄部分を連結可能な係合部材とを備え、柄軸を有するとともに、お互いに直交する、上記柄軸と平行な柄軸方向と、押込方向及び押戻方向を含む第１方向と、第２方向とを有する清掃具用柄であって、上記係合部材が、固定部と、可動部と、固定部及び可動部を連結する連結部とを備えており、上記固定部が、上記係合部材を第１柄部分に固定するための固定用突出部を備えており、上記可動部が、押込用突出部と、第２柄部分を第１柄部分に連結するための連結用突出部とを備えており、上記押込用突出部と、上記連結用突出部とは、上記柄軸方向に離間しているとともに、上記押戻方向に突出しており、第１先端部が、第１中空部を有するとともに、上記押込用突出部と、上記連結用突出部と、上記固定用突出部とに対応する、それぞれ、第１開口部と、第２開口部と、第３開口部とを備えており、第２基端部が、第１先端部と連結する範囲において第１先端部の外径と同一又はそれよりも大きな内径を有するとともに、上記連結用突出部に対応する連結用開口部を備えており、上記係合部材が、第１中空部に配置されており、上記押込用突出部、上記連結用突出部及び上記固定用突出部が、それぞれ、第１開口部、第２開口部及び第３開口部に挿入されてているとともに、上記押込用突出部及び上記連結用突出部が、それぞれ、第１開口部及び第２開口部から外方に突出しており、第１柄部分と、第２柄部分とが、上記押込用突出部を上記押込方向に押込むことにより、連結形態と、分離形態とを切替可能であるように構成されていることを特徴とする清掃具用柄を見出した。
【発明の効果】
【０００９】
本開示の清掃具用柄は、狭空間清掃性に優れる。
【図面の簡単な説明】
【００１０】
【図１】図１は、第１実施形態に従う清掃具１の斜視図である。
【図２】図２は、清掃ヘッド３の斜視図である。
【図３】図３は、展開形態における清掃ヘッド３の第１内面１２９及び第２内面１３９側の展開図である。
【図４】図４は、展開形態における清掃ヘッド３の第１外面１２７及び第２外面１３７側の展開図である。
【図５】図５は、ブラケット５の斜視図である。
【図６】図６は、連結形態における清掃具用柄７の斜視図で有る。
【図７】図７は、分離形態における清掃具用柄７の斜視図である。
【図８】図８は、第１柄部分３０７（第１筒状体３３７）の斜視図である。
【図９】図９は、図８のＩＸ−ＩＸ断面における断面図である。
【図１０】図１０は、図８のＸ−Ｘ断面における断面図である。
【図１１】図１１は、第１スリーブ３３１の斜視図である。
【図１２】図１２は、図１１のＸＩＩ−ＸＩＩ断面における断面図である。
【図１３】図１３は、図１１のＸＩＩＩ−ＸＩＩＩ断面における断面図である。
【図１４】図１４は、第１係合部材５０１の斜視図である。
【図１５】図１５は、第１柄部分３０７と、第２柄部分３０９との連結及び分離を説明するための図である。
【図１６】図１６は、第１柄部分３０７と、第２柄部分３０９との連結及び分離を説明するための図である。
【図１７】図１７は、清掃シート３１を清掃ヘッド３に取り付ける方法を説明するための図である。
【図１８】図１８は、清掃シート３１を清掃ヘッド３に取り付ける方法を説明するための図である。
【図１９】図１９は、清掃シート３１を清掃ヘッド３に取り付ける方法を説明するための図である。
【図２０】図２０は、広空間清掃形態における清掃具１を説明するための図である。
【図２１】図２１は、狭空間清掃形態における清掃具１を説明するための図である。
【発明を実施するための形態】
【００１１】
［定義］
・「狭空間」及び「広空間」
本明細書では、狭い空間を「狭空間」と称し、狭空間の中で、垂直方向に沿う方向に延びており且つ水平方向に沿う方向に狭い空間を「垂直方向狭空間」と称し、そして水平方向に沿う方向に延びており且つ垂直方向に沿う方向に狭い空間を「水平方向狭空間」と称する場合がある。また、狭空間を構成する面を「被清掃面」と称する場合があり、そして異なる方向に延在する２つの被清掃面が交差する部分を「隅部」と称する場合がある。
なお、上記被清掃面としては、例えば、壁、床面、家具の頂面、側面及び底面、電化製品の頂面、側面及び底面等が挙げられる。
また、狭空間のうち、狭空間を構成する被清掃面間の最短距離（例えば、垂直方向狭空間における水平方向に沿う方向に延びている被清掃面間の最短距離、水平方向狭空間における垂直方向に沿う方向に延びている被清掃面間の最短距離）を、単に「幅」と称することがある。
また、本明細書では、広い空間を「広空間」と称する場合がある。
【００１２】
・対象物に関する「所定の方向に沿う」
本明細書では、対象物に関して「所定の方向に沿う」とは、対象物が、所定の方向と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【００１３】
上記所定の方向としては、例えば、水平方向、垂直方向、平面方向、長手方向、短手方向、厚さ方向等が挙げられる。
例えば、対象物である被清掃面が、「垂直方向に沿う」とは、被清掃面が、垂直方向と、好ましくは４５°未満、より好ましくは３０°以下、さらに好ましくは２０°以下、そしてさらにいっそう好ましくは５°以下の交差角を有するように延びていることを意味する。
【００１４】
・対象物に関する「所定の線に沿う」
本明細書では、対象物に関して「所定の線に沿う」とは、対象物が、所定の線と直交する直交方向よりも、所定の線に近い方向に延びていることを意味し、そして具体的には、対象物が、所定の線と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の線と平行」と称する場合がある。
【００１５】
上記所定の線としては、例えば、軸、例えば、ヘッド回転軸、挟持部回転軸、柄回転軸等が挙げられる。
例えば、対象物であるおもりが、「ヘッド回転軸に沿う」とは、おもりが、ヘッド回転軸と、好ましくは４５°未満、より好ましくは３０°以下、さらに好ましくは２０°以下、そしてさらにいっそう好ましくは５°以下の交差角を有するように延びていることを意味する。
【００１６】
・「水平方向清掃性」及び「垂直方向清掃性」
本明細書では、「水平方向清掃性」は、水平方向に沿う方向に延びている被清掃面の清掃性を意味し、「垂直方向清掃性」は、垂直方向に沿う方向に延びている被清掃面の清掃性を意味する。
・「狭空間清掃性」
本明細書では、「狭空間清掃性」は、狭空間を構成する被清掃面の清掃性を意味する。また、本明細書では、垂直方向狭空間及び水平方向狭空間を構成する被清掃面の清掃性を、それぞれ、「垂直方向狭空間清掃性」及び「水平方向狭空間清掃性」と称する。
・「清掃面切替性」
本明細書では、「清掃面切替性」は、清掃面（第１清掃面から第２清掃面へ、又は第２清掃面から第１清掃面へ）の切替性を意味する。
【００１７】
・清掃具に関する「狭空間清掃形態」、「広空間清掃形態」
本明細書では、清掃具に関する「狭空間清掃形態」は、清掃具を用いて狭空間を清掃するための形態で有り、清掃ヘッド、ブラケット及び清掃具用柄を、清掃ヘッドの平面方向、ブラケット仮想面及び柄軸が、平行になる(好ましくは、同一平面上に存在する）ように保持した形態を意味する。なお、清掃ヘッド及びブラケットを、清掃ヘッドの平面方向及びブラケット仮想面が、平行になる(好ましくは、同一平面上に存在する）ように保持することを、清掃ヘッド及びブラケットを一致させると称する場合がある。
なお、本明細書では、清掃ヘッドの平面方向、ヘッド回転部材仮想面及び／又は柄軸に関する平行は、それらの交差角が１０°以下、好ましくは５°以下、そしてさらに好ましくは０°であることを意味する。
【００１８】
本明細書では、清掃具に関する「広空間清掃形態」は、清掃ヘッドの平面方向を、ブラケットのブラケット仮想面と交差するように保持した形態を意味するものとする。
なお、上記定義は、清掃具を用いて狭空間及び広空間を清掃する際の典型的な形態を意味するものであり、清掃具を用いた清掃の形態を限定するものではない。
【００１９】
・挟持部に関する「閉鎖形態」及び「展開形態」
本明細書では、挟持部に関する「閉鎖形態」は、清掃ヘッドが挟持部を備えている場合に、挟持部が閉じている形態を意味する。また、挟持部が、回転端及び開閉端を有する、第１挟持部分及び第２挟持部分を備えている場合には、挟持部に関する「閉鎖形態」は、開閉端が閉じている形態を意味する。
本明細書では、挟持部に関する「展開形態」は、清掃ヘッドが挟持部を備えている場合に、挟持部が開いている形態を意味する。また、挟持部が、回転端及び開閉端を有する、第１挟持部分及び第２挟持部分を備えている場合には、挟持部に関する「展開形態」は、開閉端が閉じていない形態、特に、第１挟持部分の開閉端を構成する部分と、第２挟持部分の開閉端を構成する部分とが最も遠い位置に存在する形態を意味する。
なお、閉鎖形態及び展開形態ともに、挟持部は、清掃シートを挟持していてもよく、そして清掃シートを挟持していなくともよい。
【００２０】
・清掃ヘッドに関する「起立」
本明細書では、清掃ヘッドに関する起立は、清掃ヘッドが、その平面方向が水平方向に沿う方向に延びている状態から、その平面方向が垂直方向に沿う方向に延びている状態に清掃ヘッドを回転させることを意味する。例えば、清掃ヘッドを持ち上げ、その平面方向が水平方向に沿う方向に延びている状態から、その平面方向が垂直方向に沿う方向に延びている状態に回転させ、清掃ヘッドを起立させることができる。
【００２１】
・「内方」及び「外方」
本明細書では、「内方」及び「外方」は、それぞれ、所定の線、例えば、中心線（例えば、長手方向中心線、短手方向中心線、厚さ方向中心線等）、軸（例えば、回転軸、例えば、ヘッド回転軸、挟持部回転軸、柄回転軸、柄軸等）等を有する対象物において、所定の線に近づく方向及び軸から遠ざかる方向を意味する。例えば、長手方向の内方とは、長手方向のうち、短手方向に延びている長手方向中心線に近づく方向を意味する。
【００２２】
・「内方の位置」及び「外方の位置」
また、本明細書では、一方が、他方より「内方の位置」に配置されていることは、一方が、他方よりも、対象となる所定の線に近い位置に配置されていることを意味し、そして一方が、他方より「外方の位置」に配置されていることは、一方が、他方よりも、対象となる所定の線に遠い位置に配置されていることを意味する。
【００２３】
具体的には、本開示は以下の態様に関する。
［態様１］
第１基端部及び第１先端部を有する第１柄部分と、第２基端部及び第２先端部を有する第２柄部分と、第１柄部分及び第２柄部分を連結可能な係合部材とを備え、柄軸を有するとともに、お互いに直交する、上記柄軸と平行な柄軸方向と、押込方向及び押戻方向を含む第１方向と、第２方向とを有する清掃具用柄であって、
上記係合部材が、固定部と、可動部と、固定部及び可動部を連結する連結部とを備えており、上記固定部が、上記係合部材を第１柄部分に固定するための固定用突出部を備えており、上記可動部が、押込用突出部と、第２柄部分を第１柄部分に連結するための連結用突出部とを備えており、上記押込用突出部と、上記連結用突出部とは、上記柄軸方向に離間しているとともに、上記押戻方向に突出しており、
第１先端部が、第１中空部を有するとともに、上記押込用突出部と、上記連結用突出部と、上記固定用突出部とに対応する、それぞれ、第１開口部と、第２開口部と、第３開口部とを備えており、
第２基端部が、第１先端部と連結する範囲において第１先端部の外径と同一又はそれよりも大きな内径を有するとともに、上記連結用突出部に対応する連結用開口部を備えており、
上記係合部材が、第１中空部に配置されており、上記押込用突出部、上記連結用突出部及び上記固定用突出部が、それぞれ、第１開口部、第２開口部及び第３開口部に挿入されているとともに、上記押込用突出部及び上記連結用突出部が、それぞれ、第１開口部及び第２開口部から外方に突出しており、
第１柄部分と、第２柄部分とが、上記押込用突出部を上記押込方向に押込むことにより、連結形態と、分離形態とを切替可能であるように構成されている、
ことを特徴とする、上記清掃具用柄。
【００２４】
上記清掃具用柄は、所定の構造を有する係合部材を備えているため、清掃具用柄の、第２方向の厚さを薄くすることができる。従って、清掃具において、上記清掃具用柄を、清掃具用柄の第２方向が狭空間の幅と向かい合うように用いることにより、清掃具用柄が、狭空間を構成する被清掃面に接触しにくくなる。以上より、上記清掃具用柄、並びに上記清掃具用柄を備える清掃具が、狭空間の清掃性に優れる。
【００２５】
［態様２］
第１柄部分が、第１先端部の外面に、上記押込用突出部を囲んで上記柄軸の周方向に延びているスリーブをさらに備えている、態様１に記載の清掃具用柄。
【００２６】
上記清掃具は、第１先端部の外面に所定のスリーブをさらに備えている。従って、使用者が、押込用突出部を押込方向に押込む際に、使用者の指が、押込用突出部と、第１開口部との間に挟まれにくくなる。従って、使用者が、清掃具用柄を連結形態に変形する際にけがをしにくくなり、使用者が、第１柄分と、第２柄部分とを確実に連結しやすくなり、連結形態を確実に形成することができ、第１柄分と、第２柄部分とが、連結の不具合等により、がたつきにくくなる。第１柄分と、第２柄部分とががたつく場合には、がたついた清掃具用柄が、狭空間を構成する被清掃面を傷つける恐れがある。以上より、上記清掃具用柄、並びに上記清掃具用柄を備える清掃具が、狭空間清掃性に優れる。
【００２７】
［態様３］
上記スリーブが、上記柄軸の周方向に一周しており、上記スリーブの、第２方向の径が、第１方向の径よりも小さい、態様２に記載の清掃具用柄。
【００２８】
上記清掃具用柄では、第１柄部分が所定のスリーブを備えている。従って、清掃具において、上記清掃具用柄を、清掃具用柄の第２方向が狭空間の幅と向かい合うように用いることにより、清掃具用柄が、狭空間を構成する被清掃面に接触しにくくなる。以上より、上記清掃具用柄、並びに上記清掃具用柄を備える清掃具が、狭空間の清掃性に優れる。
【００２９】
［態様４］
上記スリーブが、上記柄軸の周方向に一周しており、上記スリーブの、上記押戻方向側の端部の厚さが、上記スリーブの、上記押込方向側の端部の厚さよりも厚い、態様２又は３に記載の清掃具用柄。
【００３０】
上記清掃具用柄では、スリーブが所定の厚さを有する。従って、清掃具において、上記清掃具用柄を、清掃具用柄の第１方向が狭空間の幅と向かい合うように用いる場合であっても、清掃具用柄が、狭空間を構成する被清掃面に接触しにくくなる。以上より、上記清掃具用柄、並びに上記清掃具用柄を備える清掃具が、狭空間の清掃性に優れる。
【００３１】
［態様５］
上記スリーブが、上記連結形態において、第２基端部の端縁を収納する収納部を備えている、態様２〜４のいずれか一項に記載の清掃具用柄。
【００３２】
上記清掃具用柄では、スリーブが、所定の収納部を備えているので、使用者が、第１柄部分と、第２柄部分とを連結する際に、第１柄部分の第１基端部と、第２柄部分の第２基端部の端縁との間で指を挟みにくくなる。従って、使用者が、清掃具用柄を連結形態に変形する際にけがをしにくくなり、使用者が、第１柄分と、第２柄部分とを確実に連結しやすくなり、連結形態を確実に形成することができ、第１柄分と、第２柄部分とが、連結の不具合等により、がたつきにくくなる。第１柄分と、第２柄部分とががたつく場合には、がたついた清掃具用柄が、狭空間を構成する被清掃面を傷つける恐れがある。以上より、上記清掃具用柄、並びに上記清掃具用柄を備える清掃具が、狭空間清掃性に優れる。
【００３３】
［態様６］
上記収納部及び上記端縁が、第１柄部分の、上記柄軸の周方向の位置と、第２柄部分の、上記柄軸の周方向の位置とをガイドするための、一対のガイド部を備えている、態様５に記載の清掃具用柄。
【００３４】
上記清掃具用柄では、スリーブの収納部と、第２基端部の端縁とが、一対の所定のガイド部を備えているので、第１柄部分の、柄軸の周方向の位置と、第２柄部分の、柄軸の周方向の位置とを合せやすい。その結果、上記清掃具用柄は、第１柄部分及び第２柄部分の連結形態を確実に形成することができ、上記清掃具用柄を備える清掃具を用いて狭空間を清掃する際に、がたついた第１柄部分及び第２柄部分が、狭空間を構成する被清掃面に接触しにくくなる。以上より、上記清掃具用柄、並びに上記清掃具用柄を備える清掃具が、狭空間清掃性に優れる。
【００３５】
［態様７］
上記収納部が、第２基端部の外面と接触するように構成された複数の突起部であって、そのそれぞれが、上記柄軸方向に延びているものを備えている、態様５又は６に記載の清掃具用柄。
【００３６】
上記清掃具用柄では、収納部が、所定の複数の突起部を備えているので、清掃具用柄のがたつきを抑制することができる。清掃用具柄ががたつく場合には、がたついた清掃具用柄が、狭空間を構成する被清掃面を傷つけることがある。従って、上記清掃具用柄は、柄のがたつきが抑制されるため、狭空間を構成する被清掃面を傷つけにくい。以上より、上記清掃具用柄、並びに上記清掃具用柄を備える清掃具が、狭空間清掃性に優れる。
【００３７】
［態様８］
上記係合部材の上記固定部及び可動部が、上記連結部から上記柄軸方向内の同一方向に向かって延びている、態様１〜７のいずれか一項に記載の清掃具用柄。
【００３８】
上記清掃具用柄では、係合部材の固定部及び可動部が、連結部を基準として、柄軸方向の同一の方向に延びているので、上記係合部材の、第１方向における弾性が高くなりやすく、上記係合部材が、第１柄部分及び第２柄部分の連結形態を保持しやすくなるとともに、清掃具用柄のがたつきが抑制され、清掃具用柄の強度が高まる。以上より、上記清掃具用柄、並びに上記清掃具用柄を備える清掃具が、狭空間清掃性に優れる。
【００３９】
［態様９］
上記係合部材の上記連結部が、第１方向に延びており、上記固定部及び可動部が、上記連結部に離間して連結している、態様１〜８のいずれか一項に記載の清掃具用柄。
【００４０】
上記清掃具用柄では、係合部材が所定の形状を有しているため、上記係合部材の、上記第１方向における弾性が高くなりやすく、上記係合部材が、第１柄部分及び第２柄部分の連結形態を保持しやすくなる。以上より、上記清掃具用柄、並びに上記清掃具用柄を備える清掃具が、狭空間清掃性に優れる。
【００４１】
［態様１０］
上記連結用突出部が、上記押込用突出部よりも、上記連結部から遠い位置に配置されている、態様１〜９のいずれか一項に記載の清掃具用柄。
【００４２】
上記清掃具用柄では、押込用突出部と、連結用突出部とが所定の位置に配置されているため、押込用突出部の押込量に対して、連結用突出部の、押込方向への移動量が多くなるため、押込用突出部の押込量を相対的に少なくすることができ、第１柄部分と、第２柄部分との連結及び分離が容易になる。また、それにより、清掃具用柄の押込用突出部の部分の厚さを薄くすることができ、清掃具用柄がスリーブを備える場合には、スリーブの押込用突出部側の部分を薄くすることができる。さらに、押込用突出部の押込量を相対的に少なくすることにより、清掃具用柄を、連結形態と、分離形態とを切り替える際に、指を挟みにくくなる。
【００４３】
［態様１１］
上記係合部材が、上記連結部から上記可動部と反対方向に延びており且つ第１中空部の、上記押戻方向側の端部の内面に接するように構成されたクリップ部をさらに備えている、態様１〜１０のいずれか一項に記載の清掃具用柄。
【００４４】
上記清掃具用柄では、第１柄部分と、第２柄部分との連結を解除する際に、押込用突出部の押込みが少なく、それに伴い連結用突出部の沈み込みが少ない場合に、連結用突出部が、第２柄部分の連結用開口部に引っかかり、第２柄部分に引っ張られ、係合部材が、第１柄部分から引き抜かれることも想定される。しかし、上記清掃具用柄では、係合部材が、所定のクリップ部を備えているので、そのような場合であっても、クリップ部が、係合部材が、第１柄部分から引き抜かれることを抑制することができる。その結果、清掃具用柄が所定の機能を発揮することができ、ひいては上記清掃具用柄、並びに上記清掃具用柄を備える清掃具が、狭空間清掃性に優れる。
【００４５】
［態様１２］
清掃ヘッドと、上記清掃ヘッドに回転可能に取り付けられたブラケットと、上記ブラケットに連結された清掃具用柄とを備える清掃具であって、
上記清掃具用柄が、態様１〜１１のいずれか一項に記載の清掃具用柄である、
上記清掃具。
上記清掃具は、態様１と同様の効果を有する。
【００４６】
［態様１３］
上記清掃ヘッドが、平面方向及び厚さ方向を備えている板状の形状を有するとともに、上記平面方向に沿う方向に延びている２つの清掃面と、上記厚さ方向に沿う方向に延びている側面と、上記側面に配置された、回転軸を備えているブラケット用孔とを備えており、
上記ブラケットが、上記ブラケット用孔を介して上記清掃ヘッドに回転可能に連結されており、
上記清掃具を、上記平面方向及び上記柄軸が平行になるように配置した状態において、第１方向が、上記平面方向に沿う方向に延びるように、上記清掃具用柄が配置されている、態様１２に記載の清掃具。
【００４７】
上記清掃具は、清掃ヘッドの平面方向と、清掃具用柄の柄軸とが平行になるように配置した状態（以下、「清掃ヘッドを立てた状態」と称する場合がある）において、清掃具用柄の第１方向が、平面方向に沿う方向に延びる。従って、狭空間を清掃するために、清掃ヘッドを立てた状態にすると、清掃具用柄の、厚さの薄い第２方向を、清掃ヘッドの厚さ方向に対向させることになり、清掃具用柄が、狭空間の幅方向に引っかかりにくくなる。従って、上記清掃具が、狭空間清掃性に優れる。
【００４８】
［態様１４］
上記ブラケットが、単一の平面であるブラケット仮想面上に配置されており、上記清掃ヘッドが、上記清掃ヘッド及び上記ブラケットを、上記平面方向と、上記ブラケット仮想面とが一致するように保持することができるように構成されている、態様１３に記載の清掃具。
【００４９】
上記清掃具では、清掃ヘッドが、清掃ヘッド及びブラケットを、清掃ヘッドの平面方向と、ブラケットのブラケット仮想面とが一致するように保持することができるように構成されているので、上記清掃具が、狭空間清掃性に優れる。
【００５０】
［態様１５］
上記ブラケットが、棒状の部材から構成されているとともに、上記ブラケット用孔に回転可能に連結されている、第１端部を有するヘッド連結部と、上記清掃具用柄に連結されている、第２端部を有する柄連結部と、上記ヘッド連結部及び柄連結部を離間させている離間部とを備えており、
上記清掃具用柄が、上記柄連結部の第２端部に回転可能に連結されている回転部を備えており、
上記回転部が、上記ブラケット仮想面と直交する方向に回転軸を有するとともに、上記柄連結部に近づく近位方向と、上記柄連結部から遠ざかる遠位方向とに回転可能で有り、
上記清掃具用柄が、上記押込用突出部を上記近位方向側に有する、
態様１４に記載の清掃具。
【００５１】
上記清掃具では、清掃具用柄が、押込用突出部を、近位方向側に有する。従って、狭空間清掃形態における上記清掃具において、清掃具用柄を近位方向に倒した状態において、清掃ヘッドの、ブラケットと反対側の部分を狭空間の清掃に用いた場合に、押込用突出部が近位方向側（すなわち、ブラケット側）に配置されることになるため、押込用突出部が、狭空間を構成する被清掃面を傷つけにくい。従って、上記清掃具が、狭空間清掃性に優れる。
【００５２】
［態様１６］
清掃シートの、上記清掃シートを保持可能な清掃ヘッドを備える清掃具への使用であって、
上記清掃具が、態様１１〜１５のいずれか一項に記載の清掃具である、
ことを特徴とする、上記使用。
上記使用は、態様１と同様の効果を有する。
【００５３】
［態様１７］
態様１２〜１５のいずれか一項の清掃具用の清掃シートであって、
上記清掃ヘッドが、上記清掃シートを保持可能なように構成されており、
上記清掃シートが、上記清掃ヘッドに保持されるように構成されている、
上記清掃シート。
上記清掃シートは、所定の清掃ヘッドに保持されるように構成されており、態様１２と同様の効果を有する。
【００５４】
本開示の、清掃具用柄、本開示の、清掃具用柄を備える清掃具（以下、「清掃具用柄を備える清掃具」を、単に『清掃具』と称する場合がある）、及び本開示の、清掃シートの、上記清掃具への使用（以下、「清掃シートの、上記清掃具への使用」を、単に『清掃具への使用』又は『使用』と称する場合がある）について、以下、詳細に説明する。
なお、以下、清掃具に関する実施形態において、清掃具、清掃具用柄及び清掃具への使用に関する実施形態を、まとめて説明する。また、清掃具に関する実施形態では、理解しやすさのため、清掃具を、被清掃面側の部材から使用者側の部材の順番、具体的には、清掃ヘッド、ブラケット、及び清掃具用柄の順番で説明する。
【００５５】
図１〜図１８は、本開示の実施形態の１つ（以下、「第１実施形態」と称する）に従う清掃具１を説明するための図である。具体的には、図１は、清掃具１の斜視図である。図２は、清掃ヘッド３の斜視図であり、図１に示される清掃具１の清掃ヘッド３の部分の拡大図に相当する。図３は、展開形態における清掃ヘッド３の第１内面１２９及び第２内面１３９側の展開図である。図４は、展開形態における清掃ヘッド３の第１外面１２７及び第２外面１３７側の展開図である。図５は、ブラケット５の斜視図である。図６は、連結形態における清掃具用柄７の斜視図で有り、図１の清掃具１の清掃具用柄７の部分の拡大図に相当する。図７は、分離形態における清掃具用柄７の斜視図である。
【００５６】
図８〜図１０は、第１柄部分３０７（第１筒状体３３７）を説明するための図である。図１１〜図１３は、第１スリーブ３３１を説明するための図である。図１４〜図１６は、第１係合部材５０１を説明するための図である。図１７〜図１９は、清掃シート３１を清掃ヘッド３に取り付ける方法を説明するための図である。図２０は、広空間清掃形態における清掃具１を説明するための図である。図２１は、狭空間清掃形態における清掃具１を説明するための図である。
【００５７】
第１実施形態に従う清掃具１は、清掃ヘッド３と、清掃ヘッド３に回転可能に取り付けられているブラケット５と、ブラケット５に連結されている清掃具用柄７とを備えている。
清掃ヘッド３は、平面方向Ｐと、厚さ方向Ｔとを備えている板状の形状を有し、平面方向Ｐと平行に延びている清掃面１１１（具体的には、第１清掃面１１３及び第２清掃面１１５）と、平面方向Ｐ（具体的には、長手方向Ｌ）と平行に延びているヘッド回転軸ＲＡ1を備えているブラケット用孔１１７とを備えている。第１清掃面１１３と、第２清掃面１１５とは、ヘッド回転軸ＲＡ1を間に挟んで、厚さ方向Ｔにおいて、お互いに対向している。なお、ヘッド回転軸ＲＡ1は、清掃ヘッド３を、ブラケット５に対して回転させるための回転軸である。
【００５８】
清掃ヘッド３は、長手方向Ｌと、長手方向Ｌと直交する短手方向Ｓとを有している。長手方向Ｌ及び短手方向Ｓは、平面方向Ｐ内に配置されている。ブラケット用孔１１７と、ヘッド回転軸ＲＡ1とは、長手方向Ｌに延びている。ブラケット用孔１１７は、清掃ヘッド３の４つの側面（図示せず）のうちの１つの側面（図示せず）に開口部１１７ａを有している。
【００５９】
清掃ヘッド３は、ヘッド回転軸ＲＡ1を通り且つ厚さ方向Ｔに延びている仮想面ＩＳにより、第１ヘッド領域１１９と、第２ヘッド領域１２１とに区画され、清掃ヘッド３が、清掃ヘッド３の重心を、第１ヘッド領域１１９に有する。なお、清掃ヘッド３の重心は、後述の２つのおもり１５３により調整されている。
【００６０】
清掃ヘッド３は、清掃シート３１を保持できるように構成されている。具体的には、清掃ヘッド３は、清掃シート３１の一方の端部３３及び他方の端部３５の両方を挟持することにより、清掃シート３１を保持するように構成されている挟持部１２３を備えている。
【００６１】
挟持部１２３は、第１挟持部分１２５と、第２挟持部分１３５とを備えており、第１挟持部分１２５及び第２挟持部分１３５は、ヘッド回転軸ＲＡ1（長手方向Ｌ）と平行に延びている挟持部回転軸ＲＡ2を有する回転端１４５により回転可能に連結されているとともに、ヘッド回転軸ＲＡ1（長手方向Ｌ）と平行に延びている開閉端１４７により開閉可能に連結されている。
【００６２】
開閉端１４７は、清掃ヘッド３の短手方向Ｓの一方の端部１４９に配置されており、回転端１４５は、清掃ヘッド３の短手方向Ｓの他方の端部１５１に配置されている。
ブラケット用孔１１７は、第１挟持部分１２５（具体的には、後述の第１硬質部材１３３）に配置されている。
【００６３】
第１挟持部分１２５は、第１外面１２７及び第１内面１２９を備えており、第１挟持部分１２５は、第１外面１２７を構成する第１軟質部材１３１と、第１内面１２９を構成する第１硬質部材１３３とを備えている。第２挟持部分１３５は、第２外面１３７及び第２内面１３９を備えており、第２挟持部分１３５は、第２外面１３７を構成する第２軟質部材１４１と、第２内面１３９を構成する第２硬質部材１４３とを備えている。
【００６４】
第１挟持部分１２５は、第１ヘッド領域１１９において、第１硬質部材１３３の、第１外面１２７側の面（第１軟質部材１３１側の面）に配置された金属製のおもり１５３を２つ備えている。２つのおもり１５３は、ヘッド回転軸ＲＡ1と離間して、そしてヘッド回転軸ＲＡ1（長手方向Ｌ）と平行に延びている、２つのおもり１５３は、短手方向Ｓに隣接して配置されている。
【００６５】
また、２つのおもり１５３は、第１挟持部分１２５の、ヘッド回転軸ＲＡ1と、回転端１４５との間に配置されている。それにより、使用者が、清掃具１を使用する際に、おもり１５３の重さを覚えにくい一方で、そして清掃具１を持ち上げた際に、清掃ヘッド３が起立しやすくなる。
【００６６】
第１挟持部分１２５の第１内面１２９は、長手方向Ｌの内方の位置に配置された、２つの第１凹部１５７と、２つの第１凹部１５７に対して、長手方向Ｌの外方の位置に配置された、２つの第１凸部１５５とを備えている。２つの第１凹部１５７のそれぞれは、厚さ方向Ｔにおいて、第２挟持部分１３５に向かって窪んでおり、２つの第１凸部１５５のそれぞれは、厚さ方向Ｔにおいて、第２挟持部分１３５に向かって突出している。
【００６７】
第２挟持部分１３５の第２内面１３９は、長手方向Ｌの内方の位置に配置された、２つの第２凸部１５９と、２つの第２凸部１５９に対して、長手方向Ｌの外方の位置に配置された、２つの第２凹部１６１とを備えている。２つの第２凸部１５９のそれぞれは、厚さ方向Ｔにおいて、第１挟持部分１２５に向かって突出しており、２つの第２凹部１６１のそれぞれは、厚さ方向Ｔにおいて、第１挟持部分１２５に向かって窪んでいる。
【００６８】
２つの第１凸部１５５のそれぞれの頂面と、２つの第２凸部１５９のそれぞれの頂面とには、それぞれ、清掃シート３１を保持するための、第１スリット部１６３と、第２スリット部１６５とが設けられている。
【００６９】
また、２つの第２凸部１５９のそれぞれと、２つの第１凹部１５７のそれぞれとは、挟持部１２３の閉鎖形態において、お互いに噛み合うように構成されている。また、２つの第２凹部１６１のそれぞれと、２つの第１凸部１５５のそれぞれとは、挟持部１２３の閉鎖形態において、お互いに噛み合うように構成されている。
【００７０】
さらに、第１挟持部分１２５の第１内面１２９の２つの第１凹部１５７の間と、第２挟持部分１３５の第２内面１３９の２つの第２凸部１５９の間とには、それぞれ、清掃シート３１の一方の端部３３と、他方の端部３５との位置を合わせるための目印１６７（目印１６７ａ及び目印１６７ｂ）が配置されている。
【００７１】
第１挟持部分１２５及び第２挟持部分１３５は、それぞれ、挟持部１２３の閉鎖形態を保持するように構成された、嵌合用突起１６９及び嵌合用窪み１７１を備えている。
具体的には、第１挟持部分１２５の長手方向Ｌの両端のそれぞれには、嵌合用突起１６９が配置されており、そして嵌合用突起１６９は、長手方向Ｌの外方に向かって突出しているとともに、長手方向Ｌに伸縮可能である。また、第２挟持部分１３５の長手方向Ｌの両端のそれぞれには、嵌合用突起１６９と嵌合するように構成された、嵌合用窪み１７１が配置されており、そして嵌合用窪み１７１は、長手方向Ｌの外方に向かって窪んでいる。第１挟持部分１２５の長手方向Ｌの両端のそれぞれにおいて、嵌合用突起１６９と、嵌合用窪み１７１とが嵌合することにより、挟持部１２３の閉鎖形態が保持される。
【００７２】
清掃ヘッド３の長手方向Ｌの両端に配置された両側面のそれぞれには、閉鎖形態における挟持部１２３を展開するための窪み部１７３が配置されている。窪み部１７３は、短手方向Ｓにおいて、回転端１４５よりも開閉端１４７に近い位置に配置され、窪み部１７３は、第１挟持部分１２５の第１硬質部材１３３及び第１軟質部材１３１と、第２挟持部分１３５の第２硬質部材１４３及び第２軟質部材１４１に渡って配置されているが、窪み部１７３の底部１７５（長手方向Ｌにおいて内方に位置する部分）は、第１挟持部分１２５の第１硬質部材１３３と、第２挟持部分１３５の第２硬質部材１４３とにより構成されている。それにより、使用者が、窪み部１７３に指を入れ、挟持部１２３（第１挟持部分１２５及び第２挟持部分１３５）を展開して展開形態を形成させやすく、ひいては、清掃シート３１を清掃ヘッド３に装着しやすくなる。
【００７３】
図５に示されるように、ブラケット５は、棒状の部材から構成されているとともに、ブラケット用孔１１７に回転可能に連結されている、第１端部２０１ａを備えるヘッド連結部２０１と、清掃具用柄７に連結されている、第２端部２０３ａを備える柄連結部２０３と、ヘッド連結部２０１及び柄連結部２０３を離間させている離間部２０５とを備えている。ヘッド連結部２０１、柄連結部２０３、及び離間部２０５は、単一の平面であるのブラケット仮想面ＩＳB上に配置されている。
【００７４】
図６及び図７に示されるように、清掃具用柄７は、柄軸ＨＡを有し、お互いに直交する、柄軸ＨＡと平行な柄軸方向ＤHAと、押込方向Ｄ1P及び押戻方向Ｄ1Tを含む第１方向Ｄ1と、第２方向Ｄ2とを有する。清掃具用柄７は、コネクティングロッド３０１と、第１柄部分３０７と、第２柄部分３０９と、第３柄部分３１１と、把持部３１３とを備えており、それらが、その順に連結されている。第１柄部分３０７と、第２柄部分３０９と、第３柄部分３１１とは、それぞれ、第１スリーブ３３１と、第２スリーブ３３３と、第３スリーブ３３５とを備えている。
【００７５】
コネクティングロッド３０１と、第１柄部分３０７と、第２柄部分３０９と、第３柄部分３１１と、把持部３１３とは、連結形態と、分離形態とを切替可能であるように構成されている。
【００７６】
コネクティングロッド３０１は、清掃具用柄７を、所定の方向に回転可能とする柄回転軸ＲＡ3を有する回転部であり、一対の第１継手部３０３及び第２継手部３０５から構成されている。第１継手部３０３は、柄連結部２０３に連結されており、そして第２継手部３０５が、第１柄部分３０７に連結されている。
【００７７】
コネクティングロッド３０１（及び清掃具用柄７）は、ブラケット５の柄連結部２０３に、コネクティングロッド３０１（及び清掃具用柄７）が、ブラケット仮想面ＩＳB上を回転可能となるように（すなわち、柄回転軸ＲＡ3がブラケット仮想面ＩＳBと直交するように）連結されている。
【００７８】
図８〜図１０に示されるように、第１柄部分３０７は、柄軸方向ＤHAの全体にわたって拡がる第１中空部３３９を有する第１筒状体３３７から構成されており、コネクティングロッド３０１よりの第１基端部３１５と、把持部３１３よりの第１先端部３１７とを備えている。第２柄部分３０９は、コネクティングロッド３０１よりの第２基端部３１９と、把持部３１３よりの第２先端部３２１とを備えており、そして第３柄部分３１１は、コネクティングロッド３０１よりの第３基端部３２３と、把持部３１３よりの第３先端部３２５とを備えており、そして把持部３１３は、コネクティングロッド３０１よりの第４基端部３２７と、第４基端部３２７と反対側に配置された第４先端部３２９とを備えている。
【００７９】
第１柄部分３０７は、径の太さに関して、所定の径を有する第１筒状体第１部分３４１と、第１筒状体第１部分３４１よりも径が小さい、第１筒状体第２部分３４３とに区画される。また、第１中空部３３９は、第１筒状体第１部分３４１及び第１筒状体第２部分３４３に相当する、それぞれ、第１中空部第１部分３４５及び第１中空部第２部分３４７に区画され、第１中空部第２部分３４７の径が、第１中空部第１部分３４５の径よりも小さい。
第１筒状体第２部分３４３は、連結形態における清掃具用柄７において、後述する、第２柄部分３０９の第２筒状体第１部分（図示せず）の第２中空部第１部分（図示せず）に挿入されるように構成されている。
【００８０】
第１基端部３１５は、第１筒状体第１部分３４１から構成され、第１先端部３１７は、第１筒状体第１部分３４１及び第１筒状体第２部分３４３とから構成される。
第１先端部３１７は、後述する第１係合部材５０１の第１押込用突出部５１３と、第１連結用突出部５１５と、第１固定用突出部５１１とに対応する、それぞれ、第１先端部第１開口部３４９と、第１先端部第２開口部３５１と、第１先端部第３開口部３５３とを備えている。第１先端部第１開口部３４９及び第１先端部第２開口部３５１は、それぞれ、第１筒状体第１部分３４１及び第１筒状体第２部分３４３の、押戻方向Ｄ1T側の端部において開口している開口部で有り、そして第１先端部第３開口部３５３は、第１筒状体第１部分３４１の、押込方向Ｄ1P側の端部において開口している開口部である。
【００８１】
第１基端部３１５は、第１連結用開口部３５５と、第１窪み部３５７とを備えている。第１連結用開口部３５５は、押戻方向Ｄ1T側の端部に配置されている。第１窪み部３５７は、第１基端部３１５の、押込方向Ｄ1P側の端部に配置されているとともに、柄軸方向ＤHAを、把持部３１３に向かって窪んでいる。第１連結用開口部３５５及び第１窪み部３５７については後述する。
【００８２】
図１１〜図１３に示されるように、第１スリーブ３３１は、第１柄部分３０７の第１先端部３１７の外面に、柄軸ＨＡの周方向に一周しているように構成されている。第１スリーブ３３１は、後述する第１係合部材５０１の第１押込用突出部５１３を囲むように構成された第１スリーブ第１開口部３６１を備えている。第１スリーブ第１開口部３６１は、押戻方向Ｄ1Tに突出している。
【００８３】
また、第１スリーブ３３１は、押込方向Ｄ1Pに第１スリーブ第２開口部３６３を備えており、押込方向Ｄ1Pに第１スリーブ第２開口部３６３は、第１スリーブ３３１を第１柄部分３０７に取り付けられた際に、第１先端部第３開口部３５３に相当する位置に配置するように構成されており、そして第１スリーブ第２開口部３６３は、第１先端部第３開口部３５３とともに、清掃具用柄７の連結形態において、第１係合部材５０１の第１固定用突出部５１１を受け入れるように構成されている。
【００８４】
また、第１スリーブ３３１は、第２基端部３１９側の内面に、第１柄部分３０７及び第２柄部分３０９を連結した際に、第２柄部分３０９の第２基端部３１９の端縁を収納する第１スリーブ収納部３６５を備えている。第１スリーブ３３１は、第１筒状体第１部分３４１と略同一の内径を有し、そして第１スリーブ３３１は、第１筒状体第１部分３４１及び第１筒状体第２部分３４３に渡って配置されており、第１スリーブ収納部３６５は、第１スリーブ３３１と、第１筒状体第２部分３４３との間の領域に形成されている。
【００８５】
また、第１スリーブ収納部３６５は、お互いに噛み合う、一対のガイド部を構成する、第２基端部３１９側に突出している第１スリーブ突出部３６７を備えている。第１スリーブ突出部３６７は、後述する、第２柄部分３０９の第２基端部３１９の第２窪み部４０３とお互いに噛み合うように構成されており、第１柄部分３０７と、第２柄部分３０９とが、柄軸ＨＡの周方向に正しい位置に配置されることをガイドすることができる。
【００８６】
第１スリーブ収納部３６５はまた、柄軸方向ＤHAに延びているとともに、柄軸ＨＡに向かって突出している４本の第１スリーブ突起３６９を備えている。４本の第１スリーブ突起３６９は、お互いに柄軸ＨＡの周方向に離間している。４本の第１スリーブ突起３６９は、清掃具用柄７の連結形態において、第２柄部分３０９ががたつくことを抑制する。
【００８７】
第１スリーブ３３１は、第２方向Ｄ2の径ｄ2が、第１方向Ｄ1の径ｄ1よりも小さい。従って、清掃具用柄７を、清掃具用柄７の第２方向Ｄ2が狭空間の幅と向かい合うように用いることにより、清掃具用柄7、並びに清掃具用柄７を備える清掃具１が、狭空間清掃性に優れる。
【００８８】
また、第１スリーブ３３１の押戻方向Ｄ1T側の端部の厚さｔ1が、第１スリーブ３３１の押込方向Ｄ1P側の端部の厚さｔ2よりも厚い。従って、清掃具用柄７を、清掃具用柄７の第１方向Ｄ1が狭空間の幅と向かい合うように用いる場合であっても、清掃具用柄７、並びに清掃具用柄７を備える清掃具１が、狭空間清掃性に優れる。
【００８９】
図１４に示されるように、第１係合部材５０１は、第１柄部分３０７と、第２柄部分３０９とを連結可能であるように構成されている。具体的には、第１係合部材５０１は、第１固定部５０３と、第１可動部５０５と、第１固定部５０３及び第１可動部５０５を連結する第１連結部５０７とを備えている。第１連結部５０７は、第１方向Ｄ1に延びており、第１連結部５０７の押戻方向Ｄ1Tの端部に、第１可動部５０５が連結しており、第１連結部５０７の押込方向Ｄ1Pの端部に、第１固定部５０３が連結されている。また、第１可動部５０５及び第１固定部５０３は、それぞれ、第１柄部分３０７の第１中空部３３９の押戻方向Ｄ1T側の端部及び押込方向Ｄ1P側の端部に接して配置されるように構成されている。
【００９０】
第１固定部５０３と、第１可動部５０５とは、第１連結部５０７から、柄軸方向ＤHAの同一方向に向かって延びている。第１連結部５０７は、第１固定部５０３及び第１可動部５０５から遠ざかる方向に突出するアーチ状の形状を有しており、第１押込用突出部５１３が押込まれることにより、押込方向Ｄ1Pに押込まれた第１可動部５０５が、元の位置に戻りやすくなっている。
【００９１】
第１固定部５０３は、第１係合部材５０１を第１柄部分３０７に固定するための第１固定用突出部５１１を備えており、第１固定用突出部５１１は、押込方向Ｄ1Pに突出している。第１可動部５０５は、第１押込用突出部５１３と、第２柄部分３０９を第１柄部分３０７に連結するための第１連結用突出部５１５とを備えている。第１押込用突出部５１３及び第１連結用突出部５１５のそれぞれは、押戻方向Ｄ1Tに突出しており、第１連結用突出部５１５と、第１押込用突出部５１３は、柄軸方向ＤHAに離間しており、第１連結用突出部５１５は、第１押込用突出部５１３よりも、第１連結部５０７から遠い位置に配置されている。また、第１連結用突出部５１５は、第１連結部５０７に近づくほど高さが高くなる傾斜部５１７を有している。
【００９２】
なお、第１押込用突出部５１３は、第１係合部材５０１を、第１柄部分３０７の第１中空部３３９に挿入し、第１柄部分３０７に第１スリーブ３３１を取り付けた後、第１係合部材５０１に取り付けられるため、図１４では、第１押込用突出部５１３は、第１係合部材５０１から離間して表示されている。
第１クリップ部５０９は、第１連結部５０７から、柄軸方向ＤHAにおいて、第１可動部５０５及び第１固定部５０３から反対方向に延びており、第１柄部分３０７の第１中空部３３９の押戻方向Ｄ1T側の端部の内面に接して配置されるように構成されている。
【００９３】
図１５に示されるように、第１柄部分３０７では、第１スリーブ３３１が、第１スリーブ第１開口部３６１及び第１スリーブ第２開口部３６３を、それぞれ、第１柄部分３０７の第１先端部第１開口部３４９及び第１先端部第３開口部３５３と一致させるように第１筒状体３３７に固定されている。
【００９４】
また、第１係合部材５０１は、第１押込用突出部５１３、第１連結用突出部５１５、及び第１固定用突出部５１１が、それぞれ、第１先端部第１開口部３４９、第１先端部第２開口部３５１、及び第１先端部第３開口部３５３に挿入されることにより、第１筒状体３３７に固定されている。また、第１クリップ部５０９は、第１中空部第１部分３４５（第１中空部３３９）の押戻方向Ｄ1T側の端部の内面に接している。
【００９５】
なお、第１係合部材５０１では、第１押込用突出部５１３を押込方向Ｄ1Pに押込むことにより、第１可動部５０５が、押込方向Ｄ1Pに押込まれ、第１連結用突出部５１５が押込方向Ｄ1Pに押込まれ、第１連結用突出部５１５が、第１筒状体３３７の内部に格納される。なお、第１連結用突出部５１５は、第１押込用突出部５１３と離間しており、第１連結用突出部５１５が、第１押込用突出部５１３よりも第１連結部５０７から遠い位置に配置されているため、第１押込用突出部５１３の押込量と比較して、連結用突出部の、押込方向Ｄ1Pへの移動量が多くなるため、第１柄部分３０７と、第２柄部分３０９との連結及び分離が容易になる。
【００９６】
図１５に示されるように、第２柄部分３０９の第２基端部３１９は、第２連結用開口部４０１と、第２窪み部４０３とを備えている。第２連結用開口部４０１は、第１係合部材５０１の第１連結用突出部５１５を受け入れるように構成されており、押戻方向Ｄ1T側の端部に配置されている。第２窪み部４０３は、第２基端部３１９の、押込方向Ｄ1P側の端部に配置されているとともに、柄軸方向ＤHAを、第１柄部分３０７に向かって窪んでいる。第２窪み部４０３は、第１スリーブ３３１の第１スリーブ突出部３６７とともに、一対のガイド部を構成する。
【００９７】
第１押込用突出部５１３を押込方向Ｄ1Pに押込むことをやめると、第１係合部材５０１の弾性、第１連結部５０７のアーチ形状等により、第１押込用突出部５１３の位置が元に戻り、第１連結用突出部５１５が、第１先端部第２開口部３５１から、押戻方向Ｄ1Tに突出する。
【００９８】
第１柄部分３０７と、第２柄部分３０９とを、分離形態から連結形態に変形するためには、図１６に示されるように、例えば、左手及び右手で、それぞれ、第１柄部分３０７及び第２柄部分３０９を把持し、左手の親指で第１押込用突出部５１３を押込方向Ｄ1Pに押込み、第１連結用突出部５１５を、第１筒状体３３７の内部に格納した状態で、第２柄部分３０９の第２基端部３１９を、第１柄部分３０７の第１先端部３１７に、第２柄部分３０９の第２基端部３１９の端縁が、第１スリーブ収納部３６５に収納されるように挿入し、連結形態を形成することができる。
【００９９】
第１スリーブ３３１は、第１スリーブ収納部３６５を備えているので、使用者が、第１柄部分３０７と、第２柄部分３０９との間に、手を挟まれにくい。また、第１柄部分３０７の第１スリーブ３３１と、第２柄部分３０９の第２基端部３１９とは、それぞれ、第１柄部分３０７の、柄軸ＨＡの周方向の位置と、第２柄部分３０９の、柄軸ＨＡの周方向の位置とをガイドするための、一対のガイド部である、第１スリーブ突出部３６７と、第２窪み部４０３とを備えている。第１スリーブ突出部３６７と、第２窪み部４０３は、それぞれ、第１スリーブ収納部３６５の押込方向Ｄ1Pの端部と、第２柄部分３０９の第２基端部３１９押込方向Ｄ1Pの端部とに配置されている。
【０１００】
第１スリーブ突出部３６７及び第２窪み部４０３により、使用者が、第１柄部分３０７と、第２柄部分３０９との、柄軸ＨＡの周方向の位置を一致させやすい。柄軸ＨＡの周方向の位置が合わない場合には、第１連結用突出部５１５が、第２連結用開口部４０１に挿入されず、連結形態において、第１柄部分３０７と、第２柄部分３０９とが分離されやすい。
【０１０１】
なお、第１連結用突出部５１５は、傾斜部５１７を備えているため、第２柄部分３０９の第２基端部３１９の端縁が、第１連結用突出部５１５と接触することにより、第１連結用突出部５１５が押込方向Ｄ1Pに押込まれることになるため、連結形態を形成するに当たり、使用者は、第１押込用突出部５１３を押込方向Ｄ1Pに押込まなくてもよい。
【０１０２】
第１柄部分３０７と、第２柄部分３０９とを、連結形態から分離形態に変形するためには、図１６に示されるように、例えば、左手及び右手で、それぞれ、第１柄部分３０７及び第２柄部分３０９を把持し、左手の親指で第１押込用突出部５１３を押込方向Ｄ1Pに押込み、第１連結用突出部５１５を、第１筒状体３３７の内部に格納した状態で、第１柄部分３０７と、第２柄部分３０９とを、柄軸方向ＤHAに離間させればよい。
【０１０３】
第１柄部分３０７及び第２柄部分３０９を、連結形態から分離形態にする際に、第１押込用突出部５１３の押込みが不十分であり、ひいては第１連結用突出部５１５の押込みが不十分である場合には、第１連結用突出部５１５の先端が、第１筒状体３３７の第１先端部第２開口部３５１から突出したまま、第２柄部分３０９と、第１柄部分３０７とを分離してしまう場合がある。そのような場合には、第１係合部材５０１の第１連結用突出部５１５の先端が、第２柄部分３０９の第２連結用開口部４０１に引っかかり、第１係合部材５０１を、第１筒状体３３７から引き抜く力が加わる。
【０１０４】
しかし、第１係合部材５０１は、第１固定用突出部５１１を備えているとともに、第１中空部第１部分３４５（第１中空部３３９）の押戻方向Ｄ1T側の端部の内面に接している第１クリップ部５０９を備えていることから、そのような場合に、第１固定用突出部５１１及び第１クリップ部５０９が、第１係合部材５０１が、第１筒状体３３７から引き抜かれることを抑制するように作用することができる。
【０１０５】
第２柄部分３０９は、第２先端部３２１において、第２係合部材５５１と、第２スリーブ３３３とを備えており、第２先端部３２１、第２係合部材５５１及び第２スリーブ３３３の構造は、それぞれ、第１先端部３１７、第１係合部材５０１及び第１スリーブ３３１の構造と同一であるため、説明を省略する。
また、第３柄部分３１１の第３基端部３２３の構造は、第２柄部分３０９の第２基端部３１９の構造と同一であるため、説明を省略する。
第２柄部分３０９と、第３柄部分３１１との連結構造及び分離構造は、第１柄部分３０７と、第２柄部分３０９との連結構造及び分離構造と同一であるため、説明を省略する。
【０１０６】
第３柄部分３１１は、第３先端部３２５において、第３係合部材５５５と、第３スリーブ３３５とを備えており、第３先端部３２５、第３係合部材５５５及び第３スリーブ３３５の構造は、それぞれ、第１先端部３１７、第１係合部材５０１及び第１スリーブ３３１の構造と同一であるため、説明を省略する。
また、把持部３１３の第４基端部３２７の構造は、第２柄部分３０９の第２基端部３１９の構造と同一であるため、説明を省略する。
第３柄部分３１１と、把持部３１３との連結構造及び分離構造は、第１柄部分３０７と、第２柄部分３０９との連結構造及び分離構造と同一であるため、説明を省略する。
【０１０７】
第１柄部分３０７の第１基端部３１５の構造は、第２柄部分３０９の第２基端部３１９の構造と同一であり、第１連結用開口部３５５と、第１窪み部３５７等を備えている。
また、コネクティングロッド３０１の第２継手部３０５は、第１柄部分３０７側の端部において、第４筒状体４０５と、第４係合部材５５９とを備えている。第４筒状体４０５の構造は、第１スリーブ３３１を有しない以外は、第１筒状体３３７と同様であり、そして第４係合部材５５９の構造は、第１係合部材５０１の構造と同様であることから、説明を省略する。
第１柄部分３０７と、コネクティングロッド３０１との連結構造及び分離構造は、第１柄部分３０７と、第２柄部分３０９との連結構造及び分離構造と同一であるため、説明を省略する。
【０１０８】
使用者は、清掃具１を使用するに当たり、閉鎖形態にある清掃ヘッド３の長手方向Ｌの両側面に配置された窪み部１７３に手を入れ、清掃ヘッド３を、展開形態に展開し、図１７に示されるように、展開形態における清掃ヘッド３を、清掃シート３１の上に、挟持部１２３（第１挟持部分１２５及び第２挟持部分１３５）の第１内面１２９及び第２内面１３９が上方を向くように配置する。
【０１０９】
次いで、清掃シート３１の一方の端部３３及び他方の端部３５が、それぞれ、第１挟持部分１２５の目印１６７ａ（１６７）及び目印１６７ｂ（１６７）に合うように、清掃シート３１の一方の端部３３及び他方の端部３５を、それぞれ、第１内面１２９及び第２内面１３９に向かって折り畳む。
【０１１０】
次いで、使用者は、図１８に示されるように、第１挟持部分１２５の２つの第１凸部１５５のそれぞれに配置された第１スリット部１６３に、清掃シート３１の一方の端部３３を固定し、そして第２挟持部分１３５の２つの第２凸部１５９のそれぞれに配置された第２スリット部１６５に、清掃シート３１の他方の端部３５を固定する。
【０１１１】
次いで、第１挟持部分１２５及び第２挟持部分１３５を、回転端１４５の挟持部回転軸ＲＡ2を中心に回転させ、嵌合用突起１６９及び嵌合用窪み１７１を嵌合させ、図１９に示されるように、清掃ヘッド３を閉鎖形態にする。それにより、清掃シート３１の一方の端部３３は、２つの第１凸部１５５の第１スリット部１６３により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の一方の端部３３が、挟持部１２３から外れにくくなる。
【０１１２】
同様に、清掃シート３１の他方の端部３５は、２つの第２凸部１５９の第２スリット部１６５により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の他方の端部３５が、挟持部１２３から外れにくくなる。
【０１１３】
使用者が、広空間を清掃する場合には、図２０に示されるように、清掃具１を、広空間清掃形態にし、特に制限なく、被清掃面を清掃することができる。清掃シート３１の第１面３７（清掃ヘッド３の第１清掃面１１３側の面）を被清掃面の清掃に用い、第１面３７が汚れた場合には、清掃ヘッド３を１８０°回転させ、清掃シートの第２面３９（清掃ヘッド３の第２清掃面１１５側の面）を用いて、被清掃面を清掃することができる。
【０１１４】
使用者が、狭空間、例えば、図２１に示されるような垂直方向狭空間５１を清掃する場合には、清掃具１を、狭空間清掃形態、具体的には、清掃ヘッド３を、清掃ヘッド３の平面方向（図示せず）と、ブラケット５のブラケット仮想面（図示せず）とが一致するように回転させ、清掃ヘッド３の長手方向Ｌの端部（好ましくは、ブラケット用孔１１７の開口部１１７ａの存在しない側の端部）を、狭空間に入れ、狭空間の被清掃面を清掃することができる。
【０１１５】
清掃具１を、広空間清掃形態から狭空間清掃形態に形態変更するためには、清掃具１を、単に持ち上げればよい。清掃具１（清掃ヘッド３）を持ち上げると、清掃ヘッド３の重心が、第１ヘッド領域１１９に存在することから、清掃ヘッド３が、第１ヘッド領域１１９を下方に向けて起立しやすくなる。
【０１１６】
また、第１実施形態に従う清掃具１の清掃ヘッド３では、回転端１４５が、第１ヘッド領域１１９の、清掃ヘッド３の短手方向Ｓの他方の端部１５１に配置されているので、清掃ヘッド３を持ち上げた際に、清掃ヘッド３が、回転端１４５が下方を向き且つ開閉端１４７が上方を向くように起立する。従って、清掃ヘッド３の第１ヘッド領域１１９側（回転端１４５側）の側面を用いて、垂直方向狭空間５１の隅部５３を清掃しやすく、そしてその際に、清掃シート３１が清掃ヘッド３から外れにくくなる。
【０１１７】
また、清掃具１では、清掃ヘッド３の平面方向Ｐ、ブラケット５のブラケット仮想面ＩＳB及び柄軸ＨＡが平行になる（より具体的には同一平面上に存在する）ように配置した状態において、第１方向Ｄ1が、平面方向Ｐと平行に延びている。それにより、清掃具１を狭空間清掃形態に変形した場合に、清掃具用柄７が、コネクティングロッド３０１、第１柄部分３０７、第２柄部分３０９及び第３柄部分３１１のそれぞれの第２方向Ｄ2（厚さの薄い方向）を、清掃ヘッド３の厚さ方向Ｔに対向させることになり、清掃具用柄７が、垂直方向狭空間の幅方向に引っかかりにくくなる。
【０１１８】
また、図６に示されるように、清掃具１では、回転部を構成するコネクティングロッド３０１（清掃具用柄７）は、柄回転軸ＲＡ3を中心に、ブラケット５の柄連結部２０３に近づく近位方向ＤPと、柄連結部２０３から遠ざかる遠位方向ＤDとに回転可能で有る。また、第１係合部材５０１の第１押込用突出部５１３と、第２係合部材５５１の第２押込用突出部５５３と、第３係合部材５５５の第３押込用突出部５５７と、第４係合部材５５９の第４押込用突出部５６１とが、それぞれ、第１柄部分３０７と、第２柄部分３０９と、第３柄部分３１１と、コネクティングロッド３０１との近位方向ＤP側に配置されている。
【０１１９】
それにより、図２１に示すように、清掃具１を狭空間清掃形態に変形し、清掃具用柄７を近位方向ＤPに倒した状態において、清掃ヘッド３の、ブラケット５と反対側の部分を狭空間の清掃に用いた場合に、第１押込用突出部５１３と、第２押込用突出部５５３と、第３押込用突出部５５７と、第４押込用突出部５６１とが近位方向ＤP側（すなわち、ブラケット５側）に配置されることになるため、第１押込用突出部５１３と、第２押込用突出部５５３と、第３押込用突出部５５７と、第４押込用突出部５６１とが、垂直方向狭空間を構成する被清掃面を傷つけにくくなる。
【０１２０】
本開示の清掃具（本開示の清掃具用柄、本開示の使用）では、清掃具用柄は、柄軸を有するとともに、お互いに直交する、柄軸と平行な柄軸方向と、押込方向及び押戻方向を含む第１方向と、第２方向とを有する。
【０１２１】
本開示の清掃具（本開示の清掃具用柄、本開示の使用）では、清掃具用柄は、複数の柄部分、例えば、少なくとも２つの柄部分（すなわち、第１柄部分及び第２柄部分）、３以上の柄部分（例えば、第１柄部分〜第３柄部分）、４以上の柄部分（例えば、第１柄部分〜第４柄部分）、５以上の柄部分（例えば、第１柄部分〜第５柄部分）を含むことができる。上記複数の柄部分は、お互いに、連結形態と、分離形態とを切替可能であるように構成されている。
【０１２２】
なお、上記複数の柄部分の一部は、把持部、ブラケットとの連結部、回転部等を構成していてもよい。また、上記複数の柄部分のそれぞれは、基端部及び先端部を備えており、先端部が、隣接する柄部分である隣接柄部分と連結するための係合部材を備えることができる。
【０１２３】
上記回転部は、ブラケットとの連結部に配置されることが好ましい。清掃具の清掃性の観点からである。また、上記回転部は、ブラケットに対して、任意の方向に回転することができてもよい。また、上記ブラケットがブラケット仮想面上に配置されている場合には、上記回転部が、上記ブラケット仮想面と直交する方向に回転軸を有するように構成されていることが好ましい。清掃具の清掃性の観点からである。
【０１２４】
上記係合部材は、固定部と、可動部と、固定部及び可動部を連結する連結部とを備えており、上記固定部が、係合部材を柄部分に固定するための固定用突出部を備えており、可動部が、押込用突出部と、隣接柄部分を柄部分に連結するための連結用突出部とを備えており、押込用突出部と、連結用突出部とは、柄軸方向に離間しているとともに、押戻方向に突出している。
【０１２５】
上記複数の柄部分の１つを構成する第１柄部分は、第１基端部及び第１先端部を有し、同じく、上記複数の柄部分の１つを構成する第２柄部分は、第２基端部及び第２先端部を有する。第１柄分の第１先端部は、第１中空部を有するとともに、係合部材の押込用突出部、連結用突出部及び固定用突出部に対応する、それぞれ、第１開口部、第２開口部及び第３開口部を備えている。
【０１２６】
第２基端部は、第１先端部と連結する範囲において第１先端部の外径と同一であるか、又は１先端部の外径よりも大きな内径を有するとともに、連結用突出部に対応する連結用開口部を備えている。
【０１２７】
係合部材が、第１中空部に配置されており、上記押込用突出部、上記連結用突出部及び上記固定用突出部が、それぞれ、第１開口部、第２開口部及び第３開口部に挿入されているとともに、押込用突出部及び連結用突出部が、それぞれ、第１開口部及び第２開口部から外方に突出している。
【０１２８】
第１柄部分と、第２柄部分とは、係合部材の押込用突出部を押込方向に押込むことにより、連結形態と、分離形態とを切替可能であるように構成されている。
【０１２９】
第１柄部分は、第１先端部の外面に、係合部材の押込用突出部を囲んで柄軸の周方向に延びているスリーブをさらに備えていてもよい。それにより、使用者が、押込用突出部を押込方向に押込む際に、使用者の指が、押込用突出部と、第１開口部との間に挟まれにくくなる。
【０１３０】
上記スリーブは、柄軸の方向に一周していることが好ましく、スリーブの、第２方向の径が、第１方向の径よりも小さいことが好ましい。それにより、清掃具用柄を、清掃具用柄の第２方向が狭空間の幅と向かい合うように用いることにより、清掃具用柄、並びに清掃具用柄を備える清掃具が、狭空間清掃性に優れる。
なお、本明細書では、スリーブの第２方向の径は、スリーブの第２方向の長さを柄軸方向に沿って測定し、その最も長い長さを意味する。また、本明細書では、スリーブの第１方向の径は、スリーブの第１方向の長さを柄軸方向に沿って測定し、その最も長い長さを意味する。
【０１３１】
また、上記スリーブは、スリーブの、押戻方向側の端部の厚さが、スリーブの、押込方向側の端部の厚さよりも厚いことが好ましい。それにより、上記清掃具用柄を、清掃具用柄の第１方向が狭空間の幅と向かい合うように用いる場合であっても、清掃具用柄、並びに清掃具用柄を備える清掃具が、狭空間清掃性に優れる。
なお、本明細書では、スリーブの厚さは、所定の方向における、第１柄部分の外表面から、スリーブの外表面までの距離を意味する。
【０１３２】
上記スリーブは、連結形態において、第２基端部の端縁を収納する収納部を備えることができる。それにより、使用者が、第１柄部分と、第２柄部分とを連結する際に、第１柄部分の第１基端部と、第２柄部分の第２基端部の端縁との間で指を挟みにくくなる。
【０１３３】
第１柄部分と、第２柄部分とは、第１柄部分の柄軸の周方向の位置と、第２柄部分の柄軸の周方向の位置とをガイドするための、一対のガイド部を備えていることができる。一対のガイド部は、任意の位置に配置されうるが、第１柄部分及び第２柄部分の対応する位置、例えば、押込方向の端部、押戻方向の端部、第１方向又は第２方向の両端等に配置されうる。
【０１３４】
また、一対のガイド部は、お互いに噛み合うものであることが好ましくは、例えば、一対の係合部、例えば、一対の突出部及び窪み部であることができる。
第１柄部分では、一対のガイド部は、例えば、スリーブ（例えば、スリーブの収納部内）、第１先端部（例えば、第１先端部の端縁）に配置されることができる。第２柄部分では、一対のガイド部は、例えば、第２基端部（例えば、第２基端部の端縁）に配置されることができる。
【０１３５】
上記収納部は、第２基端部の外面と接触するように構成された複数の突起部であって、そのそれぞれが、上記柄軸方向に延びているものを備えていることができる。上記複数の突起部は、柄軸の周方向に離間していることができる。それにより、第１柄部分及び第２柄部分の間のがたつきを抑制することができる。
【０１３６】
上記係合部材では、固定部及び可動部は、連結部から任意の方向に延びていることができ、例えば、固定部及び可動部は、柄軸方向内の同一方向又は反対方向に向かって延びていることができる、同一方向に向かって延びていることが好ましい。上記係合部材の、第１方向における弾性が高くなりやすくなり、上記係合部材が、第１柄部分及び第２柄部分の連結形態を保持しやすくなるとともに、清掃具用柄のがたつきが抑制され、清掃具用柄の強度が高まるためである。
【０１３７】
上記係合部材では、連結部は、所定の方向（例えば、柄軸方向、第１方向、第２方向）に延びている、すなわち線状であってもよく、そして所定の方向に延びていない、すなわち、点状であってもよい。上記連結部は、第１方向に延びていることが好ましく、そしてアーチ状であることがより好ましく、そして固定部及び可動部が、柄軸方向内の同一方向に延びている場合には、連結部は、固定部及び可動部から遠ざかる方向に突出するアーチ状の形状を有していることがさらに好ましい。上記係合部材の、上記第１方向における弾性が高くなりやすく、上記係合部材が、第１柄部分及び第２柄部分の連結形態を保持しやすくなるためである。
【０１３８】
また、上記係合部材では、連結用突出部と、押込用突出部とは、上記可動部に離間して配置されており、連結用突出部が、押込用突出部よりも、連結部から遠い位置に配置されるように可動部に連結されていることができる。それにより、押込用突出部の押込量に対して、連結用突出部の、押込方向への移動量が多くなるため、押込用突出部の押込量を相対的に少なくすることができ、第１柄部分と、第２柄部分との連結及び分離が容易になる。また、清掃具用柄の押込用突出部の部分の厚さを薄くすることができ、清掃具用柄がスリーブを備える場合には、スリーブの押込用突出部側の部分を薄くすることができる。さらに、押込用突出部の押込量を相対的に少なくすることにより、清掃具用柄を、連結形態と、分離形態とを切り替える際に、指を挟みにくくなる。
【０１３９】
上記係合部材では、連結用突出部が、押込用突出部よりも、連結部から近い位置に配置されるように可動部に連結されていることができる。それにより、押込用突出部の押込量に対して、連結用突出部の、押込方向への移動量が小さくなるため、押込用突出部の押込量を相対的に大きくすることができ、連結用突出部の移動を制御しやすくなり、第１柄部分と、第２柄部分との連結及び分離の精度を高くすることができる。
【０１４０】
上記係合部材は、連結部から、可動部と反対方向に延びており且つ第１中空部の、押戻方向側の端部の内面に接するように構成されたクリップ部をさらに備えていることができる。それにより、クリップ部が、係合部材が第１柄部分から引き抜かれることを抑制するように作用することができる。
【０１４１】
また、上記係合部材では、上記クリップ部は、可動部のみならず、固定部と反対方向に延びている（すなわち、可動部及び固定部が、同一方向に延びている）ことが好ましい。それにより、クリップ部が、係合部材に、第１柄部分から引き抜かれる力が加わるほど、クリップ部及び固定部が、それぞれ、第１中空部内の押戻方向の端部及び押込方向の端部を支点として、クリップ部が、係合部材が第１柄部分から引き抜かれることを抑制するように作用することができる。
【０１４２】
本開示の清掃具（本開示の使用）では、清掃ヘッドとしては、清掃シートを取り付けずに清掃を行うもの、清掃シートを取り付けて清掃を行うもの等が挙げられる。
清掃シートを取り付けずに清掃を行う清掃ヘッドとしては、ブラシ部を有するもの、スポンジ部を有するもの等が挙げられる。
【０１４３】
清掃シートを取り付けて清掃を行う清掃ヘッド用の清掃シートとしては、当技術分野で公知のもの、例えば、不織布を含むもの、トウを含むもの等が挙げられる。また、上記清掃シートとしては、ドライタイプ、薬液を含浸させたウェットタイプ等が挙げられる。
上記清掃シートは、一方の端部及び他方の端部を備える清掃シートであって、当該一方の端部及び他方の端部を、清掃ヘッドに固定して用いられるように構成されているものであることができ、そして筒状の清掃シートであって、清掃ヘッドを覆うように構成されているものが挙げられる。筒状の清掃シートは、後述の片手持ちの清掃ヘッドに用いられることが好ましい。
【０１４４】
本開示の清掃具（本開示の使用）では、清掃ヘッドは、平面方向及び厚さ方向を備えている板状の形状を有するとともに、平面方向に沿う方向に延びている清掃面と、平面方向に沿う方向に延びているヘッド回転軸を備えているブラケット用孔とを備えていることが好ましい。なお、ヘッド回転軸は、清掃ヘッドを、ブラケットに対して回転させるための回転軸である。
【０１４５】
上記板状の形状は、上記平面方向に沿う方向に延びている２つの表面部であって、お互いに向かい合うものと、上記厚さ方向に沿う方向に延びている側面部とを有するものであれば、形状は、特に制限されない。上記表面部は、清掃ヘッドの厚さ方向から観察した形状が、多角形、例えば、三角形（例えば、二等辺三角形）、四角形（例えば、矩形、菱形）、五角形、六角形等、湾曲形、例えば、円形、楕円形等であることができる。上記板状の形状は、上記平面方向において、長手方向及び短手方向を有することができる。
【０１４６】
また、上記表面部及び側面部は、平面だけでなく、湾曲面（例えば、両端以外の中央領域が外方に向かって突出する湾曲面、両端以外の中央領域が内方に向かって窪む湾曲面）であってもよく、そして凹凸構造、例えば、一又は複数の凸部、一又は複数の凹部等を含むことができる。それにより、清掃ヘッドが、清掃シートを保持できるように構成されている場合には、清掃ヘッドに取り付けられた清掃シートがずれにくくなり、清掃具を使用する際に、清掃シートが清掃ヘッドから外れにくくなる。
【０１４７】
本開示の清掃具（本開示の使用）では、清掃ヘッドは、２つの表面部のうち、１つの表面部（片面、すなわち、第１清掃面のみ）のみが清掃面を構成していてもよく、そして２つの表面部（両面、すなわち、第１清掃面及び第２清掃面）が清掃面を構成していてもよい。
【０１４８】
本開示の清掃具（本開示の使用）では、清掃ヘッドの厚さ（厚さ方向の長さ）は、特に制限されるものではないが、狭空間を清掃する観点からは、上記厚さは、薄いことが好ましく、上記厚さは、好ましくは３．０ｃｍ以下、より好ましくは２．０ｃｍ以下である。上記厚さは、清掃具の強度の観点から、好ましくは０．１ｃｍ以上、そしてより好ましくは１．０ｃｍ以上である。なお、清掃ヘッドの厚さは、清掃ヘッドの最も厚い部分を意味する。
【０１４９】
本開示の清掃具（本開示の使用）では、清掃ヘッドが、ブラケット用孔のヘッド回転軸を通り且つ清掃ヘッドの厚さ方向に延びている仮想面により、第１ヘッド領域と、第２ヘッド領域とに区画され、清掃ヘッドが、清掃ヘッドの重心を、第１ヘッド領域に有することができる。上記清掃具は、清掃ヘッドの重心を、清掃ヘッドのヘッド回転軸を水平方向に保持した状態且つ清掃ヘッドを固定していない状態において、清掃ヘッドの第１領域が下方に移動し、清掃ヘッドの第２領域が上方に移動するように備えていることが好ましい。垂直方向清掃性、並びに垂直方向狭空間清掃性の観点からである。
【０１５０】
清掃ヘッドの重心は、第１ヘッド領域及び第２ヘッド領域において、清掃ヘッドを構成する部材、例えば、軟質部材、硬質部材等の質量を変えることにより調整することができる。
また、清掃ヘッドの重心は、第１ヘッド領域に追加の部材、例えば、おもり等を配置することにより調整することができる。上記おもりの素材としては、例えば、金属（例えば、鉄、ステンレス、鉛、銅、磁石）、ゴム、プラスチック等が挙げられる。
【０１５１】
本開示の清掃具（本開示の使用）では、ブラケット用孔の開口部は、清掃ヘッドの任意の位置に配置されることができ、そして側面部に配置されることが好ましい。ブラケット用孔の開口部は、清掃ヘッドが長手方向及び短手方向を有する場合には、長手方向における端部（両端部）を構成する側面部（両側面部）、短手方向における端部（両端部）を構成する側面部（両側面部）に配置されることができ、長手方向における端部（両端部）を構成する側面部（両側面部）に配置されることが好ましい。清掃具の使いやすさの観点からである。
【０１５２】
本開示の清掃具（本開示の使用）では、ブラケット用孔（及びヘッド回転軸）は、所定の方向における上記側面部の中央に配置されることが好ましく、清掃ヘッドが長手方向及び短手方向を有する場合には、上記所定の方向は、長手方向又は短手方向であることができ、上記ブラケット用孔（及びヘッド回転軸）は、長手方向の中央又は短手方向の中央に配置されることが好ましい。清掃ヘッドの回転のしやすさ、並びに清掃具の使いやすさの観点からである。
【０１５３】
上記おもりは、第１ヘッド領域の任意の位置に配置されうるが、ヘッド回転軸から遠い位置に少なくとも配置されていることが好ましい。清掃ヘッドの質量の増加を抑制しつつ、清掃ヘッドの重心を効率よくヘッド回転軸から離間させることできる（清掃ヘッドを起立させやすくする）ので、清掃ヘッドが、垂直方向清掃性、垂直方向狭空間清掃性、清掃面切替性等に優れる。
上記おもりは、ヘッド回転軸に沿う方向に延びているように配置されていてもよく、そしてヘッド回転軸と直交する方向に沿うように延びているように配置されていてもよい。
【０１５４】
本開示の清掃具（本開示の使用）において、清掃ヘッドが、清掃シートを取り付けて清掃を行うものである場合には、清掃ヘッドが、清掃シートの一方の端部及び他方の端部の少なくとも一方を挟持する挟持部であって、展開形態及び閉鎖形態をとることができるように構成されたものを備えることができる。それにより、清掃シートの、挟持部に挟持されている端部が挟持部から外れにくく、清掃シートが清掃ヘッドから外れにくくなる。なお、上記挟持部は、清掃シートの一方の端部及び他方の端部の一方を挟持することができ、そして清掃シートの一方の端部及び他方の端部の両方を挟持することができる。
【０１５５】
上記挟持部としては、清掃シートを挟持できるものであれば、特に制限されないが、上記挟持部は、第１挟持部分と、第２挟持部分とを備えており、第１挟持部分及び第２挟持部分が、所定の方向（好ましくは、ヘッド回転軸、長手方向等に沿う方向）に沿う方向に延びている挟持部回転軸を有する回転端により回転可能に連結されているとともに、所定の方向（好ましくは、ヘッド回転軸、長手方向等に沿う方向）に沿う方向に延びている開閉端により開閉可能に連結されていることが好ましい。それにより、清掃シートの、挟持部に挟持されている端部が挟持部から外れにくく、清掃シートが清掃ヘッドから外れにくくなる。
【０１５６】
上記回転端及び開閉端は、清掃ヘッドの任意の位置に配置されることができ、例えば、回転端（挟持部回転軸）及び／又は開閉端が、ヘッド回転軸に沿う方向に延びている場合には、回転端（挟持部回転軸）及び／又は開閉端は、ヘッド回転軸と直交する直交方向の端部、ヘッド回転軸と隣接する領域等に配置されうる。また、回転端（挟持部回転軸）及び／又は開閉端が、清掃ヘッドの長手方向に沿う方向に延びている場合には、回転端（挟持部回転軸）及び／又は開閉端は、短手方向の端部、ヘッド回転軸と隣接する領域等に配置されうる。
【０１５７】
本開示の清掃具（本開示の使用）において、清掃ヘッドが、清掃シートを保持するための清掃シート固定部を備えている場合には、清掃ヘッドは、その外面に、一又は複数の清掃シート固定部を備えていてもよく、そしてその内面に、一又は複数の清掃シート固定部を備えていてもよい。
【０１５８】
清掃ヘッドが、その内面に、一又は複数の清掃シート固定部を備えている例としては、例えば、清掃ヘッドが、挟持部、例えば、第１挟持部分及び第２挟持部分を有する挟持部を備えているものが挙げられる。第１挟持部分及び第２挟持部分は、所定の方向（好ましくは、ヘッド回転軸、長手方向等に沿う方向）に延びている挟持部回転軸を有する回転端により回転可能に連結されているとともに、所定の方向（好ましくは、ヘッド回転軸、長手方向等に沿う方向）に延びている開閉端により開閉可能に連結されているものが挙げられ、そして第１挟持部分の第１内面又は第２挟持部分の第２内面が、清掃シート固定部を備えているものが挙げられる。
【０１５９】
また、清掃ヘッドは、その外面に、一又は複数の清掃シート固定部を備えることができ、清掃ヘッドが、挟持部、例えば、第１挟持部分及び第２挟持部分を有する挟持部を備えている場合には、第１挟持部分の第１外面及び／又は第２挟持部分の第２外面が、清掃シート固定部を備えていることができる。
【０１６０】
本開示の清掃具（本開示の使用）において、清掃ヘッドが、第１挟持部分及び第２挟持部分を有する挟持部を備えているとともに、第１ヘッド領域におもりが配置されている場合には、おもり及びブラケット用孔は、第１挟持部分に配置されていることが好ましい。それにより、使用者が、清掃具を使用する際に、おもりの重さを覚えにくい一方で、そして清掃具を持ち上げた際に、清掃ヘッドが起立しやすくなるので、清掃具（清掃ヘッド）が、垂直方向清掃性、垂直方向狭空間清掃性、清掃面切り替え性等に優れる。
【０１６１】
本開示の清掃具（本開示の使用）において、清掃ヘッドが挟持部を備えている場合、例えば、第１挟持部分及び第２挟持部分を有する挟持部を備えている場合には、第１挟持部分と、第２挟持部分との閉鎖形態を保持するための保持手段としては、当技術分野で公知のものを採用することができ、例えば、一対の嵌合用突起及び嵌合用窪み、面ファスナー（フック型部材及びループ型部材）、一対の磁石、一対の磁石及び強磁性体（例えば、鉄、コバルト、ニッケル）、クリップ用ばね、メカニカルロック等が挙げられる。
【０１６２】
上記一対の嵌合用突起及び嵌合用窪みは、それぞれ、所定の方向に向かって突出及び窪んでおり、当該所定の方向は、清掃ヘッドの平面方向を構成する方向（例えば、長手方向又は短手方向）であることが好ましく、清掃ヘッドの長手方向を構成する方向（例えば、長手方向の内方又は外方）であることがより好ましく、清掃ヘッドの長手方向の内方であることがさらに好ましい。それにより、挟持部の閉鎖形態を保持しやすくなる。
【０１６３】
本開示の清掃具（本開示の使用）では、清掃ヘッドは、種々の素材から構成されることができるが、その外面が軟質部材から構成され、そして内部が、上記軟質部材よりも硬質の硬質部材から構成されることが好ましい。操作性と、清掃性との両立との観点からである。
【０１６４】
上記軟質部材を構成する素材としては、例えば、エチレン酢酸ビニルコポリマー（ＥＶＡ）、ポリウレタン（ＰＵ）、エラストマー、ゴム、スポンジ、各種発泡体、布帛（例えば、不織布、例えば、フェルト、織物、編物）等が挙げられ、そして上記硬質部材を構成する素材としては、例えば、ＡＢＳ樹脂、ポリオレフィン（例えば、ポリエチレン（ＰＥ）、ポリプロピレン（ＰＰ）等）、ポリエチレンテレフタラート（ＰＥＴ）、ポリアセタール（ＰＯＭ）、ポリカーボネート（ＰＣ）、ポリスチレン（ＰＳ）、ポリアミド（ＰＡ）、ポリ塩化ビニル（ＰＶＣ）、アクリル樹脂、及びそれらの複合材料、並びに金属（例えば、アルミニウム）等が挙げられる。
【０１６５】
本開示の清掃具（本開示の使用）では、清掃具は、清掃ヘッドと、ブラケットと、清掃具用柄とを備えていることができる。
上記ブラケットは、棒状の部材から構成されており、清掃ヘッドのブラケット用孔を介して、清掃ヘッドに回転可能に連結されるように構成されている。上記ブラケットは、狭空間清掃性の観点から、単一の平面であるブラケット仮想面上に配置されていることが好ましい。
【０１６６】
上記棒状の部材としては、断面が円形、楕円形、多角形のものが挙げられ、そして上記ブラケットは、少なくともヘッド連結部の断面が円形であることが好ましく、ブラケット全体の断面が円形であることが好ましい。清掃ヘッドをヘッド回転軸を中心に回転させる観点、ブラケットが被清掃面を傷つけにくい観点からである。上記ブラケットの素材としては、例えば、金属、例えば、鉄（例えば、鉄の亜鉛メッキ物）、ステンレス、アルミニウム等が挙げられる。
【０１６７】
上記ブラケットは、例えば、ブラケット用孔に回転可能に連結されている、第１端部を有するヘッド連結部と、清掃具用柄に連結されている、第２端部を有する柄連結部と、ヘッド連結部及び柄連結部を離間させている離間部とを備えていることができる。柄連結部及び離間部と、ヘッド連結部及び離間部とは、交差するように連結していてもよく、そして湾曲するように一体化していてもよい。
【０１６８】
上記ヘッド連結部と、柄連結部とは、任意の長さを有することができる。例えば、ヘッド連結部が、柄連結部と略同一の長さであることができ、それにより、ブラケット、ひいては清掃具を軽量化するとともに、清掃具用柄に加えた力を、清掃ヘッドに的確に伝えやすくなる。また、ヘッド連結部が、柄連結部よりも長くともよく、それにより、清掃具用柄に加えた力を、清掃ヘッドにより伝えやすくなる。さらに、上記ヘッド連結部は、清掃ヘッドと略同一の長さ、又は清掃ヘッドよりも長い長さを有することができ、それにより、清掃具用柄に加えた力を、清掃ヘッドの全体に伝えやすくなる。
【０１６９】
上記ヘッド連結部と、柄連結部と、離間部とにおいて、少なくともヘッド連結部及び柄連結部は、ブラケット仮想面上に配置されていることが好ましく、そしてヘッド連結部、柄連結部及び離間部が、ブラケット仮想面上に配置されていることがより好ましい。狭空間清掃性の観点からである。
【０１７０】
本開示の清掃具（本開示の使用）において、ブラケットが、ブラケット仮想面上に配置されている場合には、上記清掃具が、清掃ヘッド及びブラケットを、清掃ヘッドの平面方向と、ブラケット仮想面とが一致するように保持できるように構成されていることが好ましく、そして固定できるように構成されている（以下、清掃具が「清掃ヘッド固定機構」を備えると称する場合がある）ことがより好ましい。それにより、清掃具が、狭空間清掃性に優れる。
【０１７１】
上記清掃ヘッド固定機構としては、一対の磁石、一対の磁石及び強磁性体（例えば、鉄、コバルト、ニッケル）、一対の嵌合部等が挙げられる。上記清掃ヘッド固定機構が一対の磁石である例としては、ブラケット（例えば、ヘッド連結部、柄連結部及び／又は離間部）に配置された磁石と、清掃ヘッドの、ブラケットに配置された磁石と対応する位置に配置された磁石とを含む実施形態が挙げられる。上記清掃ヘッド固定機構が、一対の磁石及び強磁性体である例も同様である。上記清掃ヘッド固定機構が、一対の嵌合部である例としては、ブラケットと、清掃ヘッドに配置された、ブラケットと嵌合するように形成された溝部とが挙げられる。
【０１７２】
本開示の清掃具（本開示の清掃ヘッド）では、清掃具を、清掃ヘッドの平面方向と、清掃具用柄の柄軸とが平行になるように配置した状態において、清掃具用柄の第１方向が、清掃ヘッドの平面方向に沿う方向に延びるように、清掃具用柄が配置されていることが好ましい。それにより、狭空間を清掃するために、清掃ヘッドを立てた状態にすると、清掃具用柄の、厚さの薄い第２方向を、清掃ヘッドの厚さ方向に対向させることになり、清掃具用柄が、狭空間の幅方向に引っかかりにくくなる。
【０１７３】
本開示の清掃具（本開示の清掃ヘッド）において、清掃具用柄が、柄連結部の第２端部に回転可能に連結されている回転部を備えており、回転部が、ブラケット仮想面と直交する方向に回転軸を有するとともに、ブラケットの柄連結部に近づく近位方向と、ブラケットの柄連結部から遠ざかる遠位方向とに回転可能で有る場合には、清掃具用柄が、押込用突出部を上記近位方向側に有するように構成されており、掃具用柄が、押込用突出部を上記近位方向側に有するようにブラケットの柄連結部の第２端部に連結されていることが好ましい。それにより、上記清掃具では、清掃ヘッドを立てた状態且つ清掃具用柄を近位方向に倒した状態において、清掃ヘッドの、ブラケットと反対側の部分を狭空間の清掃に用いた場合に、押込用突出部が近位方向側（すなわち、ブラケット側）に配置されることになるため、押込用突出部が、狭空間を構成する被清掃面を傷つけにくくなる。
【０１７４】
本開示の清掃具（本開示の使用）では、清掃具は、いわゆる、片手持ち（すなわち、清掃ヘッドが、１カ所のみにおいて、ブラケット用孔を介してブラケットに連結されている）の清掃具であってもよく、そしていわゆる、両手持ち（すなわち、清掃ヘッドが、複数箇所（好ましくは２カ所）において、ブラケット用孔を介してブラケットに連結されている）の清掃具であってもよい。
【０１７５】
上記清掃具を片手持ちとすることにより、図２１に示されるように、清掃ヘッドのブラケットが存在しない側の端部を用いて狭空間を清掃しやすくなる。また、上記清掃具を両手持ちとすることにより、使用者の力が、清掃ヘッドに伝わりやすくなる。
【０１７６】
両手持ちの清掃具としては、例えば、清掃ヘッドの側面部の２カ所に配置された２つのブラケット用孔を介して、ブラケットに連結されているものが挙げられる。
本開示の清掃具（本開示の使用）が長手方向及び短手方向を有する場合には、上記２つのブラケット用孔は、清掃ヘッドの長手方向の両端に配置された、お互いに向かい合う２つの側面部又は清掃ヘッドの短手方向の両端に配置された、お互いに向かい合う２つの側面部であることができ、そして清掃ヘッドの長手方向の両端に配置された、お互いに向かい合う２つの側面部であることが好ましい。
【０１７７】
上記２つのブラケット用孔は、連続して一体化されていてもよく、そして分離されていてもよいが、単一のヘッド回転軸を有することが好ましい。
【符号の説明】
【０１７８】
１    清掃具
３    清掃ヘッド
５    ブラケット
７    清掃具用柄
３０１    コネクティングロッド
３０３    第１継手部
３０５    第２継手部
３０７    第１柄部分
３０９    第２柄部分
３１１    第３柄部分
３１３    把持部
３１５    第１基端部
３１７    第１先端部
３１９    第２基端部
３２１    第２先端部
３３１    第１スリーブ
３３７    第１筒状体
３３９    第１中空部
３４１    第１筒状体第１部分
３４３    第１筒状体第２部分
３４５    第１中空部第１部分
３４７    第１中空部第２部分
３４９    第１先端部第１開口部
３５１    第１先端部第２開口部
３５３    第１先端部第３開口部
３５５    第１連結用開口部
３５７    第１窪み部
３６１    第１スリーブ第１開口部
３６３    第１スリーブ第２開口部
３６５    第１スリーブ収納部
３６７    第１スリーブ突出部
３６９    第１スリーブ突起
４０１    第２連結用開口部
４０３    第２窪み部
５０１    第１係合部材
５０３    第１固定部
５０５    第１可動部
５０７    第１連結部
５０９    第１クリップ部
５１１    第１固定用突出部
５１３    第１押込用突出部
５１５    第１連結用突出部
５１７    傾斜部
Ｄ1    第１方向
Ｄ1P    押込方向
Ｄ1T    押戻方向
Ｄ2    第２方向
ＤHA    柄軸方向
ＤP    近位方向
ＤD    遠位方向
ＲＡ3    柄回転軸
ＨＡ    柄軸
【図１】
2020075058.tif 000003
【図２】
2020075058.tif 000004
【図３】
2020075058.tif 000005
【図４】
2020075058.tif 000006
【図５】
2020075058.tif 000007
【図６】
2020075058.tif 000008
【図７】
2020075058.tif 000009
【図８】
2020075058.tif 000010
【図９】
2020075058.tif 000011
【図１０】
2020075058.tif 000012
【図１１】
2020075058.tif 000013
【図１２】
2020075058.tif 000014
【図１３】
2020075058.tif 000015
【図１４】
2020075058.tif 000016
【図１５】
2020075058.tif 000017
【図１６】
2020075058.tif 000018
【図１７】
2020075058.tif 000019
【図１８】
2020075058.tif 000020
【図１９】
2020075058.tif 000021
【図２０】
2020075058.tif 000022
【図２１】
2020075058.tif 000023